(57)【要約】【課題】成形時の反りを少なくするとともに、外部応力が作用しても割れ等の破損を生じずらくすることができるドレンパンを提供する。【解決手段】室内熱交換器３の下方に配置され、発泡スチロール材で成形される本体部４１を備え、この本体部４１の室内熱交換器受け面側にドレン溜まり４１ａを備えたドレンパンにおいて、本体部４１に本体部４１の長手方向の全長に亘って延在する補強部材４２を一体成形し、補強部材４２が本体部４１の長手方向の両端からそれぞれ突出する取付部４２ａを有し、取付部４２ａに取付孔４３を形成した。【選択図】図３
2007100981.tif 000002
【特許請求の範囲】
【請求項１】
室内熱交換器の下方に配置され、発泡スチロール材で成形される本体部を備え、この本体部の室内熱交換器受け面側にドレン溜まりを備えたドレンパンにおいて、
前記本体部に当該本体部の長手方向の全長に亘って延在する補強部材を一体成形し、前記補強部材が前記本体部の長手方向の両端からそれぞれ突出するドレンパン取付部を有し、前記取付部に取付孔を形成したことを特徴とするドレンパン。
【請求項２】
前記補強部材は、長手方向に延びる少なくとも１つの長辺が長手方向に沿って折り曲げられたフランジ部を備えることを特徴とする請求項１に記載のドレンパン。
【請求項３】
前記補強部材は、平面部と、前記平面部から立ち上がる起立面部とを備えることを特徴とする請求項１に記載のドレンパン。
【請求項４】
前記フランジ部に複数の孔を間隔をおいて形成したことを特徴とする請求項２に記載のドレンパン。
【請求項５】
筐体の内部に空気を加熱または冷却する室内熱交換器及び送風機を備える一方、前記室内熱交換器の下方に発泡スチロール製のドレンパンを配置した空気調和装置において、
前記ドレンパンは、本体の長手方向の全長に亘って延在する補強部材が前記本体の内部に一体成形され、前記補強部材が前記本体の長手方向の両端からそれぞれ突出するドレンパン取付部を有し、前記取付部に取付孔が形成されており、
前記ドレンパンが前記筐体に前記取付部を用いて取り付けられていることを特徴とする空気調和装置。
【発明の詳細な説明】
【技術分野】
【０００１】
本発明は、室内熱交換器の下側に取り付けるドレンパン、およびこのドレンパンを有する空気調和装置に関する。
【背景技術】
【０００２】
空気調和装置として一般的に知られている天井埋込形空気調和装置は、天井梁から吊下げられて被調和室内の空気を加熱または冷却する室内熱交換器及び送風機を収容したユニット本体と、ユニット本体の下部に取り付けられて被調和室の天井面に表出する化粧パネルとを備えている。化粧パネルは、被調和室内の空気をユニット本体の内部に吸込むための吸込口と、室内熱交換器で加熱または冷却した空気を被調和室内に向けて吹出すための吹出口とを有している（例えば、特許文献１参照）。
【０００３】
上述の室内熱交換器の下側には、空気を冷却するときに生じる結露水を受けるために、中央部に窪み（ドレン溜まり）を有する皿形状に形成されたドレンパンが取り付けられている。このドレンパンは、発泡スチロール材で一体成形されており、室内熱交換器の形状に合わせて幅方向に長い形状を有している。
【特許文献１】特開平１１−１５１８４７号公報
【発明の開示】
【発明が解決しようとする課題】
【０００４】
しかしながら、ドレンパンは、発泡スチロール材を使用しているため、例えば幅方向の中央部に応力が作用したときに割れが生じるおそれがあった。また、発泡スチロールの成形時に長手方向に対して反りが生じることがあり、複数製造したそれぞれのドレンパンの外形寸法にばらつきが生じてしまうことがあった。
【０００５】
本発明は、上述した事情に鑑みてなされたものであり、成形時の反りを少なくするとともに、外部応力が作用しても割れ等の破損を生じずらくすることができるドレンパン、およびこのドレンパンを使用した空気調和装置を提供することを目的とする。
【課題を解決するための手段】
【０００６】
本発明に係るドレンパンは、室内熱交換器の下方に配置され、発泡スチロール材で成形される本体部を備え、この本体部の室内熱交換器受け面側にドレン溜まりを備えたドレンパンにおいて、前記本体部に当該本体部の長手方向の全長に亘って延在する補強部材を一体成形し、前記補強部材が前記本体部の長手方向の両端からそれぞれ突出するドレンパン取付部を有し、前記取付部に取付孔を形成したことを特徴とする。
【０００７】
この場合において、前記補強部材を、長手方向に延びる少なくとも１つの長辺が長手方向に沿って折り曲げられたフランジ部で構成してもよい。
また、前記補強部材が、平面部と、前記平面部から立ち上がる起立面部とを備えることもできる。
さらに、前記フランジ部に複数の孔を間隔をおいて形成することもできる。
【０００８】
他方、本発明に係る空気調和装置は、筐体の内部に空気を加熱または冷却する室内熱交換器及び送風機を備える一方、前記室内熱交換器の下方に発泡スチロール製のドレンパンを配置した空気調和装置において、前記ドレンパンは、本体の長手方向の全長に亘って延在する補強部材が前記本体の内部に一体成形され、前記補強部材が前記本体の長手方向の両端からそれぞれ突出するドレンパン取付部を有し、前記取付部に取付孔が形成されており、前記ドレンパンが前記筐体に前記取付部を用いて取り付けられていることを特徴とする。
【発明の効果】
【０００９】
本発明によれば、発泡スチロールで成形される本体部に当該本体部の長手方向の全長に亘って延在する補強部材を一体成形しているので、中央部に力が作用したときに長手方向と直交する断面に生じる応力の一部を補強部材で受けることにより、ドレンパンの割れを生じ難くすることができる。また、同様な作用によって成形時の反りを少なくすることができる。また、前記補強部材が前記本体の長手方向の両端からそれぞれ突出する取付部を有し、前記取付部に取付孔を形成しているので、空気調和装置の本体筐体にドレンパンを容易に取り付けることができる。
【発明を実施するための最良の形態】
【００１０】
以下、本発明の実施の形態に係るドレンパンおよびこのドレンパンを用いた空気調和装置について、図面を参照しながら説明する。なお、本実施の形態では、空気調和装置の一例である天井埋込形空気調和装置であって、一方向カセット型のものについて説明する。
【００１１】
図１は、本発明の実施の形態に係る天井埋込形空気調和装置の外観を示す斜視図であり、図２はその側部断面図である。この空気調和装置１は、被調和室内から吸込んだ空気を加熱または冷却するための室内熱交換器等を収容したユニット本体１０と、ユニット本体１０の下側にねじで取り付けられる化粧パネル２０とを備えている。
【００１２】
ユニット本体１０は、外側部分を構成する筐体１１を備えている。この筐体１１は、板金を折り曲げ加工した直方体の箱形形状を成しており、図２に示すように、下側の全面が開口している。筐体１１の側壁１１ａの外面には、図１に示すように、複数の吊り金具１２が設けられている。この吊り金具１２は、天井梁に取り付けられた吊下げボルト（図示せず）に連結されるようになっており、この吊り金具１２を吊下げボルトに連結することにより、ユニット本体１０が被調和室の天井空間内に配置されることになる。
【００１３】
筐体１１の内部は、図２に示すように、仕切り板３２によって機械室（右側の室）３０と熱交換室（左側の室）３１とに画成されている。機械室３０には、被調和室から吸込んだ空気を熱交換室３１に送風する送風機２と、筐体１１の内側の側壁面に取り付けられた電装盤６とが配設されている。他方、熱交換室３１には、機械室３０から送風された空気を加熱または冷却するための室内熱交換器３が配設されており、室内熱交換器３の下方には、室内熱交換器３で発生する結露水を受けるためのドレンパン４０が設けられている。このドレンパン４０は、筐体１１に設けられた図示しない取付ねじ部に、後述する補強部材４２の取付部４２ａが締結具を用いて取り付けられている。
【００１４】
化粧パネル２０は、筐体１１の下側の開口よりも大きい略四角形状に形成されており、図２に示すように、ユニット本体１０を天井４に挿入する際の天井孔５を天井４の下側から塞ぐようになっている。
【００１５】
化粧パネル２０には、図２に示すように、機械室３０の下側に位置する部分に、被調和室内の空気を吸い込むための吸込口２１が形成されている。一方、熱交換室３１の下側に位置する部分には、室内熱交換器３によって加熱または冷却された空気を吹出すための吹出口２２が形成されている。
【００１６】
図３は本発明の実施の形態に係るドレンパンを斜め上側から見た斜視図、図４はドレンパンの内部に一体成形される補強部材を斜めから見た斜視図である。ドレンパン４０は、図３に示すように、発泡スチロール材で成形された本体部４１と、図３において奥側の長辺に沿って延在する補強部材４２とを備えている。本体部４１は、室内熱交換器３の下方を受けるだけの大きさであり、室内熱交換器３の幅方向に長手方向を有し、中央部に凹部（ドレン溜まり）４１ａを有する皿形状に形成されている。この凹部４１ａで室内熱交換器３の結露水を受けることになる。なお、この結露水は、ドレン孔４７から適宜排出されるようになっている。
【００１７】
補強部材４２は、図３および図４に示すように、板金を加工して製作され、本体部４１と同一の方向に長手方向を有している。補強部材４２の長手方向の長さは、本体部４１の長手方向の長さよりも長くなっており、本体部４１と補強部材４２を一体成形した状態では、図３に示すように、補強部材４２が本体部４１の長手方向の全長に亘って延在して、補強部材４２の両端部が本体部４１の長手方向の端部４１ｂからそれぞれ突出するようになっている。この補強部材４１の長手方向の両端部には、ユニット本体１０の筐体１１に取り付けられる取付部４２ａが設けられており、取付部４２ａには、ねじ等の締結具が挿入される取付孔４３が形成されている。また、ドレンパン４０の補強部材４２が設けられた長辺と反対側の側面（図３における手前側の側面）にも、ドレンパン４０を筐体１１側に取り付けるための取付金具４６が設けられている。
【００１８】
補強部材４２には、図４に示すように、長手方向に延びる図面手前側の長辺が長手方向に沿って下側に折り曲げられて下向フランジ部４４ａが形成されている。同様に、補強部材４２には、長手方向に延びる図面奥側の長辺が長手方向に沿って上側に折り曲げられて上向フランジ部４４ｂが形成されている。
【００１９】
また、下向フランジ部４４ａには、図４に示すように、長手方向に沿って複数の孔４５が間隔をおいて形成されている。この孔４５は、本体部４１と補強部材４２とを一体成形するときに、発泡スチロール材が孔４５の内部に入り込むようになっている。なお、複数の孔４５は、不規則に並べて形成されていてもかまわない。
【００２０】
本発明の実施の形態に係るドレンパンによれば、本体部４１の長手方向の全長に亘って補強部材４２が一体成形されているので、中央部に力が作用したときに長手方向と直交する断面に生じる応力の一部を補強部材４２で受けることにより、ドレンパン４０の割れを生じ難くすることができる。
【００２１】
また、補強部材４２に下向フランジ部４４ａおよび上向フランジ部４４ｂが形成されているので、補強部材４２の長手方向に直交する断面の断面係数が大きくなり、曲げ強度を高めることができる。
【００２２】
さらに、下向フランジ部４４ａに複数の孔４５を形成しているので、本体部４１と補強部材４２とを一体成形するときに、発泡スチロール材が孔４５の内部に入り込むようになり、本体部４１と補強部材４２とをより強固に一体成形することができる。
【００２３】
以上、本発明を実施するための最良の形態について述べたが、本発明は既述の実施形態に限定されるものではなく、本発明の技術思想に基づいて各種の変形および変更が可能である。
例えば、下向フランジ部４４ａに複数の孔４５を形成したが、上向フランジ部４４ｂにも複数の孔４５を設けることができる。これにより、本体部４１と補強部材４２とをより強固に一体成形することができる。
【００２４】
さらに、補強部材４２の材質は、板金の他、補強としてドレンパン４０の強度を向上させることができ、かつ、本体部４１と一体成形できるものであれば、例えば、樹脂等の他の材質であってもかまわない。
【図面の簡単な説明】
【００２５】
【図１】本発明の実施の形態に係る空気調和装置の外観を示す斜視図である。
【図２】図１の断面図である。
【図３】本発明の実施の形態に係るドレンパンを斜め上側から見た状態を示す斜視図である。
【図４】本発明の実施の形態に係るドレンパンに使用される補強部材を斜め上側から見た状態を示す斜視図である。
【符号の説明】
【００２６】
１  空気調和装置
２  送風機
３  室内熱交換器
４  天井
５  天井孔
６  電装盤
１０  ユニット本体
１１  筐体
１１ａ  側壁
１２  吊り金具
２０  化粧パネル
２１  吸込口
２２  吹出口
３０  機械室
３１  熱交換室
３２  仕切り板
４０  ドレンパン
４１  本体部
４１ａ  凹部（ドレン溜まり）
４１ｂ  端部
４２  補強部材
４２ａ  取付部
４３  取付孔
４４ａ  下向フランジ部（起立面部）
４４ｂ  上向フランジ部（起立面部）
４５  孔
４６  取付金具
４７  ドレン孔
【図１】
2007100981.tif 000003
【図２】
2007100981.tif 000004
【図３】
2007100981.tif 000005
【図４】
2007100981.tif 000006